(57)【要約】【課題】電話の着信履歴サービスを悪用した「ワン切り」という迷惑電話が問題となっている。携帯電話の着信履歴に残された見知らぬ電話番号にかけ直すとアダルト番組等の広告だったりして、後に高額な請求が来るというものである。現在の携帯電話等には迷惑電話に対する防止策が何らとられていない。【解決手段】迷惑電話の呼出時間（呼出開始から切断までの時間）が短時間であることに着目し、迷惑電話を識別するための設定時間を設定し、着信呼の呼出時間が前記設定時間より大きい場合はその着信内容を着信履歴に保存し、着信呼の呼出時間が前記設定時間以下の場合はその着信内容を着信履歴に保存しないようにした。【選択図】　　　　図１
2004056694.tif 000002
【特許請求の範囲】
【請求項１】
着信履歴を保存・表示する機能を有する電話機において、
迷惑電話を識別するための設定時間を設定し、着信呼の呼出時間が前記設定時間より大きい場合はその着信内容を着信履歴に保存し、着信呼の呼出時間が前記設定時間以下の場合はその着信内容を着信履歴に保存しないことを特徴とする電話機。
【請求項２】
着信履歴を保存・表示する機能を有し、迷惑電話を識別するための設定時間を設定し、前記着信履歴に着信呼の呼出時間を付加して保存する電話機であって、不在着信でかつ前記呼出時間が前記設定時間以下の着信呼の場合はその着信履歴を表示しないことを特徴とする電話機。
【請求項３】
着信履歴を保存・表示する機能を有し、迷惑電話を識別するための設定時間を設定し、前記着信履歴に着信呼の呼出時間を付加して保存する電話機であって、不在着信でかつ前記呼出時間が前記設定時間以下の着信呼で、発信者の電話番号がアドレス帳に載っていない場合はその着信履歴を表示しないことを特徴とする電話機。
【請求項４】
迷惑電話防止機能のＯＮ・ＯＦＦを設定できるようにしたことを特徴とする請求項１〜３のいずれかに記載の電話機。
【請求項５】
着信履歴を保存・表示する機能を有し、迷惑電話を識別するための設定時間を設定し、前記着信履歴に着信呼の呼出時間を付加して保存する電話機であって、不在着信でかつ前記呼出時間が前記設定時間以下の着信呼の場合はその着信履歴を他の着信履歴と識別できる手段を施して表示することを特徴とする電話機。
【請求項６】
前記識別できる手段が、配色の変更又は記号の付加であることを特徴とする請求項５記載の電話機。
【請求項７】
着信履歴を保存・表示する機能を有し、迷惑電話を識別するための設定時間を設定し、前記着信履歴に着信呼の呼出時間を付加して保存する電話機であって、前記呼出時間が前記設定時間以下の着信呼の場合はその着信履歴に基く発信をさせないようにしたことを特徴とする電話機。
【請求項８】
着信履歴を保存・表示する機能を有し、迷惑電話を識別するための設定時間を設定し、前記着信履歴に着信呼の呼出時間を付加して保存する電話機であって、前記呼出時間が前記設定時間以下の着信呼の場合はその着信履歴に基く発信を確認させる画面を表示して発信を再確認することを特徴とする電話機。
【請求項９】
着信履歴を保存・表示する機能を有し、迷惑電話を識別するための設定時間を設定し、前記着信履歴に着信呼の呼出時間を付加して保存する電話機であって、前記呼出時間が前記設定時間以下の着信呼の場合は、その着信履歴に基く発信をさせないか、再確認させるか、又は発信動作をさせるか選択可能にしたことを特徴とする電話機。
【請求項１０】
前記設定時間を変更可能にしたことを特徴とする請求項１〜９のいずれかに記載の電話機。
【請求項１１】
前記設定時間を交換局又はプロバイダから受信した設定時間信号に基いて自動的に変更することを特徴とする請求項１０記載の電話機。
【請求項１２】
着信履歴を保存・表示する機能を有し、前記着信履歴に着信呼の呼出時間を付加して保存する電話機であって、少なくとも不在着信の場合にはその着信履歴に前記呼出時間を表示することを特徴とする電話機。
【請求項１３】
着信履歴を保存・表示する機能を有する電話機のプログラムにおいて、
迷惑電話を識別するための設定時間を設定する機能と、
着信呼の呼出時間を計測する機能と、
前記呼出時間と設定時間を比較し、前記呼出時間が前記設定時間より大きい場合はその着信内容を着信履歴に保存し、前記呼出時間が前記設定時間以下の場合はその着信内容を着信履歴に保存しない機能と、
をコンピュータに実現させるためのプログラム。
【請求項１４】
着信履歴を保存・表示する機能を有する電話機のプログラムにおいて、
迷惑電話を識別するための設定時間を設定する機能と、
着信呼の呼出時間を計測する機能と、
前記着信履歴に前記呼出時間を付加して保存する機能と、
不在着信で、かつ前記呼出時間と設定時間を比較し、前記呼出時間が前記設定時間以下の着信呼の場合はその着信履歴を表示しない機能と、
をコンピュータに実現させるためのプログラム。
【請求項１５】
着信履歴を保存・表示する機能を有する電話機のプログラムにおいて、
迷惑電話を識別するための設定時間を設定する機能と、
着信呼の呼出時間を計測する機能と、
不在着信で、かつ前記呼出時間と設定時間を比較し、前記呼出時間が前記設定時間以下の着信呼で、発信者の電話番号がアドレス帳に載っていない場合はその着信履歴を表示しない機能と、
をコンピュータに実現させるためのプログラム。
【請求項１６】
迷惑電話防止機能のＯＮ・ＯＦＦを設定できるようにしたことを特徴とする請求項１３〜１５のいずれかに記載のプログラム。
【請求項１７】
着信履歴を保存・表示する機能を有する電話機のプログラムにおいて、
迷惑電話を識別するための設定時間を設定する機能と、
着信呼の呼出時間を計測する機能と、
前記着信履歴に前記呼出時間を付加して保存する機能と、
不在着信で、かつ前記呼出時間と設定時間を比較し、前記呼出時間が前記設定時間以下の着信呼の場合はその着信履歴を他の着信履歴と識別できる手段を施して表示する機能と、
をコンピュータに実現させるためのプログラム。
【請求項１８】
前記識別できる手段が、配色の変更又は記号の付加であることを特徴とする請求項１７記載のプログラム。
【請求項１９】
着信履歴を保存・表示する機能を有する電話機のプログラムにおいて、
迷惑電話を識別するための設定時間を設定する機能と、
着信呼の呼出時間を計測する機能と、
前記着信履歴に前記呼出時間を付加して保存する機能と、
前記呼出時間と設定時間を比較し、前記呼出時間が前記設定時間以下の着信呼の場合はその着信履歴に基く発信をさせないようにする機能と、
をコンピュータに実現させるためのプログラム。
【請求項２０】
着信履歴を保存・表示する機能を有する電話機のプログラムにおいて、
迷惑電話を識別するための設定時間を設定する機能と、
着信呼の呼出時間を計測する機能と、
前記着信履歴に前記呼出時間を付加して保存する機能と、
前記呼出時間と設定時間を比較し、前記呼出時間が前記設定時間以下の着信呼の場合はその着信履歴に基く発信を確認させる画面を表示して発信を再確認する機能と、
をコンピュータに実現させるためのプログラム。
【請求項２１】
着信履歴を保存・表示する機能を有する電話機のプログラムにおいて、
迷惑電話を識別するための設定時間を設定する機能と、
着信呼の呼出時間を計測する機能と、
前記着信履歴に前記呼出時間を付加して保存する機能と、
前記呼出時間と設定時間を比較し、前記呼出時間が前記設定時間以下の着信呼の場合は、その着信履歴に基く発信をさせないか、再確認させるか、又は発信動作をさせるか選択可能にする機能と、
をコンピュータに実現させるためのプログラム。
【請求項２２】
前記設定時間を変更可能にしたことを特徴とする請求項１３〜２１のいずれかに記載のプログラム。
【請求項２３】
前記設定時間を交換局又はプロバイダから受信した設定時間信号に基いて変更することを特徴とする請求項２２記載のプログラム。
【発明の詳細な説明】
【０００１】
【発明の属する技術分野】
本発明は着信履歴が記録される電話機に関するものである。なお、電話機は固定電話及び携帯電話を総称するものである。
【０００２】
【従来の技術】
一般に、従来の電話機は、通常の通信機能のほかに、コンピュータ（ＣＰＵ）、メモリ、表示部等を備えて各種のサービス機能を実現している。
メモリはプログラムを格納し、各種の情報を記録（保存）する。ＣＰＵはメモリに格納されたプログラムに従い、電話機全体の制御をする。表示部はメモリに保存された着信履歴等の必要情報を表示する。
【０００３】
図１５は従来の着信履歴の配列変数を示す図である。
配列変数Ｋ（１）、Ｋ（２）…は一つの配列変数Ｋ（　）に１件の着信履歴を記録する。その記録する内容は、着信開始の年月日１、着信開始時間２、発信者の電話番号３、着信応答ｏｒ不在着信４である。着信応答ｏｒ不在着信４は着信に応答したか、応答しなかったかを記録する項目である。
【０００４】
図１６は従来の着信履歴表示画面を示す図で、電話機の表示部に表示された着信履歴を示している。
例えば、０１番目の着信履歴は着信開始の年月日１が３月１９日であり、着信開始時間２が２２時４分であり、発信者の電話番号３が０９０−＊＊＊＊−＃＃＃＃であり、着信応答ｏｒ不在着信４が応答したことを示す受話であることを示している。
このように、電話機は配列変数の内容を着信の履歴から順番に画面に表示する機能を有している。
【０００５】
図１７は従来の電話接続方法を示す図である。
まず、発信側電話機Ｓ１からのＳＥＴ　ＵＰ（呼設定）信号を発信局の交換機ＥＸ１が受信すると、交換機１は着信局の交換機ＥＸ２にＩＡＭ（Ｉｎｉｔｉａｌ　Ａｄｄｒｅｓ　Ｍｅｓｓａｇｅ）を送り、接続要求をする。交換機ＥＸ２は着信側の電話機を検索し、電話機Ｓ２にＳＥＴ　ＵＰ信号を送る。
【０００６】
着信側の電話機Ｓ２はＳＥＴ　ＵＰ信号を受け取ると、交換機ＥＸ２にＡＬＥＲＴ（呼出中）信号を送り、合わせて自電話機Ｓ２の呼出音を鳴らして呼び出しを行う。
【０００７】
交換機ＥＸ２は発信局の交換機ＥＸ１にＡＣＭ（Ａｄｄｒｅｓｓ　Ｃｏｍｐｌｅｔｅ　Ｍｅｓｓａｇｅ）を送り、相手先までの交換機の経路を特定したことを知らせる。交換機ＥＸ１は発側側電話機Ｓ１にＡＬＥＲＴ信号を送る。
【０００８】
着信側電話機Ｓ２で例えば受話機を取って着信に応答すると、電話機Ｓ２はＣＯＮＮＥＣＴ（応答）信号を交換機ＥＸ２に送り、交換機ＥＸ２は交換機ＥＸ１にＡＮＭ（ＡＮｓｗｅｒ　Ｍｅｓｓａｇｅ）を送り、相手の受話機が取られて通話できることを知らせる。これによって通話状態になる。
【０００９】
電話を切る場合は、接続を切った方の電話機例えば電話機Ｓ２からＤＩＳＣ（切断）信号を交換機ＥＸ２に送り、交換機ＥＸ２は交換機ＥＸ１にＲＥＬ（解放）信号を交換機ＥＸ１に送り、交換機ＥＸ１は相手側の電話機Ｓ１にＤＩＳＣ信号を送る。
交換機ＥＸ２は電話機Ｓ２にＲＥＬ信号を送り、またＤＩＳＣ信号を受けた電話機Ｓ１は交換機ＥＸ１にＲＥＬ信号を送る。これによって通信が終了する。
【００１０】
【発明が解決しようとする課題】
しかしながら、このようにして行われる電話の通信サービスのうち、着信履歴サービスを悪用した「ワン切り」という迷惑電話が、最近、問題となっている。携帯電話に電話がかかり、ワンコールで切れてしまい、着信履歴に見知らぬ電話番号が残される。着信履歴を見てその番号にかけ直すとアダルト番組や出会い系サイトの広告だったりして、後に高額な請求が来るというのがその典型である。
【００１１】
このような迷惑電話がかかってきた時に、使用者が呼び出しを確認できた場合、「ワン切り」という短時間の呼出時間によって迷惑電話と認識できれば問題はない。
ところが、呼び出しに気がつかなかった場合又は不在であった場合に、後で着信履歴を見ても迷惑電話かどうか確認できないという問題があり、迷惑電話の防止策がとられていなかった。
【００１２】
【課題を解決するための手段】
上記した課題を解決するため、本発明は迷惑電話の呼出時間（呼出開始から切断までの時間）が短時間であることに着目したもので、迷惑電話を識別するための設定時間を設定し、着信呼の呼出時間が前記設定時間以下の場合に、迷惑電話防止のための手段を講ずることを特徴としている。
【００１３】
【発明の実施の形態】
図１は本発明の第１の実施形態のフローチャートである。
第１の実施形態では、着信履歴を保存・表示する機能を有する電話機において、メモリに格納されたプログラムの中に、迷惑電話を識別するための設定時間ＷＫを設定する。
この設定時間ＷＫは通常の電話における呼出時間より小さく、迷惑電話の呼出時間より大きい値とする。
現在の電話の呼出音が１秒送出、２秒断の繰り返しであるので、迷惑電話の呼出時間は３秒内と考えられるため、設定時間ＷＫは例えば３秒と設定する。
【００１４】
図１において、電話機に電源が入れられると、フローＦ１０１（以下、フローの語句は省略する）で起動する。Ｆ１０２では、着信呼の呼出時間を計測する時間計測カウンタＷを０にクリアし、呼び出しがあるまで待機する。
Ｆ１０３で呼び出し開始があった場合、Ｆ１０４に進み、時間計測カウンタＷの計測を開始する。Ｆ１０５で呼び出しに応答した場合、Ｆ１０６で通話処理を行い、Ｆ１０７で通話切断後にＦ１０８で着信内容を着信履歴に保存し、Ｆ１０９で終了する。
【００１５】
一方、Ｆ１０５で呼び出しに応答しないままＦ１１０で呼び出しが切断された場合、Ｆ１１１で時間計測カウンタＷを停止する。
Ｆ１１２において、時間計測カウンタＷで計測した呼出時間Ｗと、設定時間ＷＫとを比較し、呼出時間Ｗが設定時間ＷＫより大きい場合はＦ１１３で着信内容を着信履歴に保存する。
呼出時間が設定時間ＷＫ以下の場合は着信内容を着信履歴に保存せずにＦ１１４で終了する。
【００１６】
以上のように第１の実施形態によれば、着信呼の呼出時間が設定時間ＷＫ以下の場合はその着信内容が着信履歴に保存されない。そのため、迷惑電話等の呼出時間の短い電話は着信履歴に保存されないので、迷惑電話を防止することができ、迷惑電話の被害に会わなくて済むという効果がある。
【００１７】
図２は本発明の第２の実施形態のフローチャート、図３は着信履歴の配列変数を示す図、図４は電話機の表示画面を示す図である。
【００１８】
図３に示す配列変数Ｋ２は、図１５に示した従来の配列変数に、呼出開始から呼出切断までの時間を記録する呼出時間２０が追加されている。
また、図４では電話機２１の表示部２２に表示された使用者の設定項目２３の中に、通常の項目のほかに迷惑防止機能２４という項目が追加されている。この機能を選択した場合は、画面２５が表示され、使用者は迷惑電話防止機能をＯＮ又はＯＦＦに設定することができる。
【００１９】
第２の実施形態では、着信があって着信履歴を保存する時に、少なくとも不在着信の場合、呼出時間を第１の実施形態のように計測して着信履歴の配列変数Ｋ２に記録させる。その着信履歴を表示する場合は図２に示したフローのように行われる。
【００２０】
図２について説明すると、Ｆ２０１でスタートし、Ｆ２０２で着信履歴を表示することを指示し、Ｆ２０３では表示する着信履歴の番号を指定する。
Ｆ２０４では、迷惑電話防止機能のＯＮ・ＯＦＦを設定する。ＯＦＦの場合はＦ２０５で従前の通り着信履歴を電話機の画面に表示し、Ｆ２０８に進む。
Ｆ２０４でＯＮの場合は、Ｆ２０６で配列変数Ｋ２（ｉ）が不在着信かどうかチェックし、着信応答の場合はＦ２０５に進む。
【００２１】
Ｆ２０６で配列変数Ｋ２（ｉ）が不在着信のときはＦ２０７で配列変数Ｋ２（ｉ）の呼出時間が設定時間ＷＫより大きい場合はＦ２０５に進み、設定時間ＷＫ以下の場合は着信履歴を表示しない。
Ｆ２０８では次の着信履歴を表示するかどうか指示を促すがＮＯの場合はＦ２０９で終了し、ＹＥＳの場合はＦ２１０で表示する着信履歴の番号を更新し、Ｆ２０４に戻る。
【００２２】
以上のように、第２の実施形態によれば、迷惑電話防止機能がＯＮに設定されていた場合、不在着信でかつ呼出時間が設定時間以下のときはその着信履歴は表示されない。そのため、迷惑電話等の呼出時間が短い電話は着信履歴が表示されないので、迷惑電話を防止することができ、迷惑電話の被害に会わなくて済むという効果がある。
また、迷惑電話防止機能をＯＦＦにした場合は、着信履歴を全て確認することができる。
【００２３】
なお、迷惑電話防止機能のＯＮ・ＯＦＦを設定することは第１の実施形態にも適用することができる。その場合は、迷惑電話防止機能がＯＮに設定されていたときで、呼出時間が設定時間以下の場合に着信内容を着信履歴に保存しないようにすれば良い。
【００２４】
図５は本発明の第３の実施形態のフローチャートである。
第２の実施形態と同様に着信履歴を配列変数Ｋ２に保存させる。図５はこの着信履歴を表示するフローチャートで、Ｆ３０１〜Ｆ３０３までは図２のＦ２０１〜Ｆ２０３と同じである。
また、Ｆ３０４，Ｆ３０６は図２のＦ２０６，Ｆ２０７と同じである。
【００２５】
Ｆ３０７では、発信者の電話番号がアドレス帳に載っているかどうかチェックし、載っている場合はＦ３０５で着信履歴を画面に表示する。
アドレス帳に載っていない電話番号の場合には着信履歴を表示しない。
即ち、着信呼が不在着信で、呼出時間が設定時間ＷＫ以下で、発信者の電話番号がアドレス帳に載っていない場合はその着信履歴を表示しないように処理する。
Ｆ３０８〜Ｆ３１０は図２のＦ２０８〜Ｆ２１０と同じである。
【００２６】
なお、第２の実施形態を示す図２では、Ｆ２０６の前にＦ２０４として迷惑電話防止機能のＯＮ・ＯＦＦを設定するステップを設けているが、このステップを、第３の実施形態においてもＦ３０４の前に設けることができるのは勿論である。
【００２７】
以上のように、第３の実施形態によれば、不在着信の内呼出時間が設定時間以下で、発信者の電話番号がアドレス帳に載っていない場合はその着信履歴は表示されない。そのため、アドレス帳に載っていない迷惑電話は表示されず、迷惑電話を防止することができ、アドレス帳に載っている知人等の電話の場合は全て着信履歴を確認することができる。
【００２８】
図６は本発明の第４の実施形態の着信履歴表示の例を示す図である。
電話機４１の表示部４２の画面４３に着信履歴が表示されているが、着信応答した受話の場合や、不在着信の場合でも呼出時間が設定時間より大きい場合は通常通り表示される。
【００２９】
しかしながら、不在着信で、呼出時間が設定時間以下の場合には、通常表示の他の着信履歴と識別できる手段が施される。
【００３０】
識別できる手段としては、図６のように反転表示等で配色を変えて表示したり、識別のための記号を付加して表示することが想定される。
【００３１】
以上のように、第４の実施形態によれば、不在着信で呼出時間が設定時間以下の場合は他の着信履歴と識別できる手段を施して表示されるので、迷惑電話の可能性のある電話を容易に識別することができ、迷惑電話を防止することが可能である。
【００３２】
図７は本発明第５の実施形態のフローチャート、図８は発信不可の表示画面を示す図である。
第２の実施形態と同様に着信履歴を配列変数Ｋ２に保存させる。図７はこの着信履歴を表示し、着信履歴に基く電話をかける時のフローチャートを示している。
【００３３】
Ｆ５０１で起動し、Ｆ５０２で着信呼の呼出時間を確認する。即ち、配列変数Ｋ２（ｉ）の呼出時間が設定時間より大きい場合はＦ５０３で通常通り発信し、Ｆ５０４で終了する。
Ｆ５０２で呼出時間が設定時間以下の場合は、Ｆ５０５で図８のように電話機５１の表示部５２の画面５３に迷惑電話の可能性があることを表示して発信をさせないで、Ｆ５０６で終了する。
【００３４】
以上のように、第５の実施形態によれば、信号履歴に基いて電話をかける時、着信履歴の呼出時間が設定時間以下の場合は、画面に迷惑電話の可能性を表示して発信を行わせない。そのため、迷惑電話に電話がかかることがない。
たとえ、第４の実施形態のような他の着信履歴と識別できる手段を確認しないで着信履歴の電話番号に発信を行おうとしても、発信は不可で迷惑電話に接続されることはない。
【００３５】
図９は本発明の第６の実施形態のフローチャート、図１０は発信の確認画面を示す図である。
第５の実施形態では着信履歴の呼出時間が設定時間以下の場合は発信させなかったが、第６の実施形態ではこの処理に代えて、発信するかどうか再確認させるものである。
【００３６】
図９におけるＦ６０１〜Ｆ６０４は図７のＦ５０１〜Ｆ５０４と同じである。Ｆ６０２で着信履歴の配列変数Ｋ２（ｈ）の呼出時間が設定時間以下の場合、Ｆ６０５で図１０のように電話機６１の表示部６２の画面６３に迷惑電話の可能性があるが、発信するかどうかを確認する確認画面を表示する。
Ｆ６０６で発信を再確認した場合はＦ６０３に進んで発信し、発信を再確認しない場合は発信せずにＦ６０７で終了する。
【００３７】
以上のように、第６の実施形態によれば、着信履歴に基いて電話をかける時、着信履歴の呼出時間が設定時間以下の場合は、発信の確認画面が表示される。そのため電話をかける前に迷惑電話であることに気がつき、迷惑電話の被害に会わなくて済む効果がある。
【００３８】
図１１は本発明の第７の実施形態の発信設定変更画面を示す図である。
電話機７１の表示部７２に表示された設定項目７３の中に、着信履歴に記録された電話番号の内、呼出時間が設定時間以下の電話番号を発信するかどうかを設定する迷惑電話発信設定７４の項目を設ける。
【００３９】
この迷惑電話発信設定７４を選択した場合、画面７５が表示され、呼出時間が設定時間以下の着信呼の電話番号に対して、第５の実施形態のようにその着信履歴に基く発信をさせないか、第６の実施形態のように再確認させるか、又は通常通り発信動作をさせるか選択できるようにする。
これにより、呼出時間が設定時間以下の呼出時間が短い着信履歴に対して発信を行う場合の設定を電話機の操作にて変更することができる。
【００４０】
以上のように、第７の実施形態によれば、呼出時間の短い着信履歴に対して、使用者が電話機の操作で簡単に発信可能、確認、発信不可に変えられるため、使用者の趣向によって、迷惑電話防止機能をカスタマイズすることができる。
【００４１】
図１２は本発明の第８の実施形態の迷惑電話設定時間変更画面を示す図である。
電話機８１の表示部８２に表示された設定項目８３の中に、迷惑電話かどうかを識別する設定時間ＷＫを変更する迷惑電話設定時間８４の項目を設ける。
【００４２】
迷惑電話設定時間８４を選択した場合、画面８５が表示され、設定時間を変更することができる。
設定時間を変更するには、電話機８１で操作して設定時間の欄に数値を入力することにより簡単に行うことができる。
【００４３】
以上のように、第８の実施形態によれば、世の中の動向により予め設定してあった設定時間より長く呼び出しをする迷惑電話、例えばワン切りでなく２コールで切断するような迷惑電話が発生した場合でも、簡単に設定時間を変更できるため、迷惑電話を防止することが容易である。
【００４４】
図１３は本発明の第９の実施形態の電話接続方法を示す図である。
従来技術を示す図１７とは、交換機ＥＸ１、ＥＸ２から発信側の電話機Ｓ１、着信側の電話機Ｓ２に対して設定時間信号ＷＴを送信するのが異なるだけで、他の動作は同じである。
【００４５】
発信局の交換機ＥＸ１は着信側のＡＮＭ（応答）を検出した際、発信側の電話機Ｓ１にＣＯＮＮＥＣＴ（応答）信号だけでなく、設定時間信号ＷＴを送る。この設定時間信号ＷＴの中には設定時間ＷＴ１が入っており、設定時間信号ＷＴを受信した電話機Ｓ１は設定時間ＷＴ１と電話機Ｓ１に予め設定されている設定時間ＷＫが異なる場合は、設定時間ＷＫをＷＴ１に書き換える。
【００４６】
この動作は交換機ＥＸ１から受信した設定時間信号ＷＴに基いて、電話機Ｓ１のプログラムにより自動的に行われる。即ち、交換機を備えた交換局あるいはプロバイダ側から設定時間ＷＴ１を変えて設定時間信号を送信することにより設定時間ＷＫを書き換えることができる。
【００４７】
また、着信局の交換機ＥＸ２は、着信側の電話機Ｓ２からＣＯＮＮＥＣＴ（応答）信号を受信し、交換機ＥＸ１にＡＮＭ（応答）を送ると共に、電話機Ｓ２に対して設定時間信号ＷＴを送信する。
着信側の電話機Ｓ２は設定時間信号ＷＴを受信し、上記と同様の動作で設定時間ＷＫを書き換えることができる。
【００４８】
以上のように、第９の実施形態によれば、電話機を使いこなすことができないユーザの場合でも、交換局又はプロバイダ側からの設定時間信号により設定時間を変更することができ、迷惑電話を防止することができる。
【００４９】
第８及び第９の実施形態は上記した全ての実施形態において、設定時間ＷＫを変更する場合に適用することができる。
【００５０】
図１４は本発明の第１０の実施形態の着信履歴表示画面を示す図である。
第２の実施形態と同様に、着信があって着信履歴を保存する時に、呼出時間を第１の実施形態のように計測して着信履歴の配列変数Ｋ２に記録させる。
この着信履歴を図１４に示すように電話機１０１の表示部１０２の画面１０３に表示させる。この際、少なくとも不在着信の場合には、他の情報と共に呼出時間１０４を表示する。
【００５１】
使用者は着信履歴の内、この呼出時間１０４を見て０１番目は３６秒だから通常電話、０２番目は３秒と短いので迷惑電話の可能性があるというように判断するのである。
そして迷惑電話の可能性があると判断された番号には電話をかけないようにすれば迷惑電話を防止することができる。
【００５２】
以上のように、第１０の実施形態によれば、着信履歴に着信呼が呼出時間を表示するので、短時間の迷惑電話を識別することができる。そのため迷惑電話の被害に会わなくて済む効果がある。
【００５３】
なお、上記した実施形態の動作は、電話機に内蔵されたメモリに格納されたプログラムに従い、ＣＰＵの制御により実行される。
【００５４】
【発明の効果】
上記したように、本発明によれば、呼出時間の短い迷惑電話を防止することができ、迷惑電話の被害に会わなくて済むという効果がある。
【図面の簡単な説明】
【図１】本発明の第１の実施形態のフローチャート
【図２】本発明の第２の実施形態のフローチャート
【図３】着信履歴の配列変数を示す図
【図４】電話機の表示画面を示す図
【図５】本発明の第３の実施形態のフローチャート
【図６】本発明の第４の実施形態の着信履歴の例を示す図
【図７】本発明の第５の実施形態のフローチャート
【図８】発信不可の表示画面を示す図
【図９】本発明の第６の実施形態のフローチャート
【図１０】発信の確認画面を示す図
【図１１】本発明の第７の実施形態の発信設定変更画面を示す図
【図１２】本発明の第８の実施形態の迷惑電話設定時間変更画面を示す図
【図１３】本発明の第９の実施形態の電話接続方法を示す図
【図１４】本発明の第９の実施形態の着信履歴表示画面を示す図
【図１５】従来の通信履歴の配列変数を示す図
【図１６】従来の着信履歴表示画面を示す図
【図１７】従来の電話接続方法を示す図
【符号の説明】
２０，１０４　　　　　　　　　　　　　　　　呼出時間
２１，４１，５１，６１，８１，１０１　　　　電話機
２２，４２，５２，６２，８２，１０２　　　　表示部
２３，７３，８３　　　　　　　　　　　　　　設定項目
２５，４３，５３，６３，７５，８５，１０３　画面
４４　　　　　　　　　　　　　　　　　　　　配色
７４　　　　　　　　　　　　　　　　　　　　迷惑電話発信設定
８４　　　　　　　　　　　　　　　　　　　　迷惑電話設定時間
【図１】
2004056694.tif 000003
【図２】
2004056694.tif 000004
【図３】
2004056694.tif 000005
【図４】
2004056694.tif 000006
【図５】
2004056694.tif 000007
【図６】
2004056694.tif 000008
【図７】
2004056694.tif 000009
【図８】
2004056694.tif 000010
【図９】
2004056694.tif 000011
【図１０】
2004056694.tif 000012
【図１１】
2004056694.tif 000013
【図１２】
2004056694.tif 000014
【図１３】
2004056694.tif 000015
【図１４】
2004056694.tif 000016
【図１５】
2004056694.tif 000017
【図１６】
2004056694.tif 000018
【図１７】
2004056694.tif 000019